(57)【要約】【課題】  軸部分を掃除可能なはさみを提供する【解決手段】本発明のはさみは、刃部（３、７）及び刃部の基端側に軸穴（４、８）を有する２枚の薄板材（５、９）を、軸穴を通る軸（２０）で枢支して構成され、薄板材の向かい合う内側面には、刃部を予め定めた開閉状態にした場合に、軸穴から薄板材の外へと通じる溝（１０、１２）が設けられ、１枚以上の薄板材の軸穴は多角形に開口され、軸は軸棒（２１ｂ）及び軸棒の両端に設けられている頭部（２１ｃ、２３）で構成され、軸棒は多角形に開口されている軸穴の各辺に回転可能な状態で内接する円柱形状を有し、多角形に開口されている軸穴側にある頭部は、軸穴及び軸棒の間にできる隙間と頭部の外側とを連通する開口部（２２ａ）を有する。溝と、軸穴及び軸棒の間にできる隙間と、開口部とによって、軸穴を掃除する洗浄液又はエアー用通路を確保でき、かつ、軽くブレの無い操作感を実現する。【選択図】図１
2020028465.tif 000002
【特許請求の範囲】
【請求項１】
刃部（３、７）及び当該刃部の基端側に軸穴（４、８）をそれぞれ有する２枚の薄板材（５、９）を、前記軸穴を通る軸（２０）で枢支して構成されたはさみ（１）において、
前記２枚の薄板材の向かい合う内側面の一方又は両方には、前記刃部を予め定めた開閉状態にした場合に、前記軸穴から当該軸穴を有している薄板材の外へと通じる溝（１０、１２）が設けられており、
前記２枚の薄板材の内、１枚以上の薄板材の軸穴が多角形に開口されており、
前記軸は、軸棒（２１ｂ）及び前記軸棒の両端に設けられている頭部（２１ｃ、２３）とで構成されており、前記軸棒は、前記多角形に開口されている軸穴の各辺に回転可能な状態で内接する直径の円柱形状を有しており、
前記多角形に開口されている軸穴を有している薄板材側にある前記軸の頭部は、前記軸穴及び前記軸棒の間にできる隙間と当該頭部の外側とを連通する開口部（２２ａ）を有している、ことを特徴とするはさみ。
【請求項２】
前記２枚の薄板材の内、１枚の薄板材の軸穴が多角形に開口されており、他方の薄板材の軸穴は円形に開口されており、
前記軸棒（２１ｂ）は、リベット（２１）の円柱状の軸棒で構成され、前記多角形に開口されている軸穴を有する薄板材側にある頭部（２３）は、前記リベットのリベットヘッドと、一部分の円弧が切欠かれて前記開口部を形成しているＣ字状のワッシャー（２２）とで構成され、他方の頭部（２１ｃ）は、前記円形に開口されている軸穴を有する薄板材側において、前記２枚の薄板材を軸穴で枢動可能に留めるように前記リベットの軸棒をカシメて形成された頭部で構成されている、請求項１に記載のはさみ。
【請求項３】
（ａ）軸穴から当該軸穴を有している薄板材の縁へ通じるように設けられている溝（１０）と、（ｂ）前記開閉状態を刃部の一部又は全部が重なっていない部分ができるようにした場合に、軸穴から前記重なっていない部分へと通じるように設けられている溝（１２）、の何れか一方又は両方を備えている、請求項1又は請求項２に記載のはさみ。
【請求項４】
前記多角形に開口されている軸穴は、正方形に開口されている、請求項１乃至請求項３の何れか一項に記載のはさみ。
【請求項５】
前記溝（１０、１２）は軸穴から放射状に伸びている、請求項１乃至請求項４の何れか一項に記載のはさみ。
【発明の詳細な説明】
【技術分野】
【０００１】
本発明は、はさみに関し、より詳しくは、２つの刃部を枢支する軸の部分を掃除可能なはさみに関する。
【背景技術】
【０００２】
従来のはさみは、（ａ）果樹園などの畑作業で使用した場合、はさみの軸の部分に樹液ヤニが溜まり、開閉動作に余計な力を要するようになるといった課題があった。その他、（ｂ）一般家庭等で肉や魚の身の調理に使用した場合、（ｃ）理美容室で頭髪のカットのために使用した場合、（ｄ）工場などで使用した場合には、はさみの軸の部分に異物、粘度の高い油脂、粘着物等が溜まり、放置していると開閉動作に余計な力を要するようになる虞がある。
【０００３】
例えば、特許文献１には、軸部分を取り外し可能にし、掃除し易くしたはさみが提案されている。
【先行技術文献】
【特許文献】
【０００４】
【特許文献１】実開平２−１２２６６６号公報
【発明の概要】
【発明が解決しようとする課題】
【０００５】
しかし、はさみの軸は、２つの刃部に挟んだものを鋭く切るため、この２つの刃部がわずかな力で擦り合いながら開閉するように、絶妙な力加減で留められている。このため、軸部分を取り外す構成は、使用感、操作感のばらつきの原因となるため、好ましくない。
【０００６】
本発明は、上記従来例の問題を解決するためになされたものであり、はさみの使用感、操作感を考慮して、軸部分を取り外さずとも、軸の部分に溜まった異物、粘度の高い油脂、粘着物等を、掃除可能とする機構を備えたはさみを提供することを目的とする。
【課題を解決するための手段】
【０００７】
上記目的を達成するために本発明は、刃部及び当該刃部の基端側に軸穴をそれぞれ有する２枚の薄板材を、前記軸穴を通る軸で枢支して構成されたはさみにおいて、前記２枚の薄板材の向かい合う内側面の一方又は両方には、前記刃部を予め定めた開閉状態にした場合に、前記軸穴から当該軸穴を有している薄板材の外へと通じる溝が設けられており、前記２枚の薄板材の内、１枚以上の薄板材の軸穴が多角形に開口されており、前記軸は、軸棒及び前記軸棒の両端に設けられている頭部とで構成されており、前記軸棒は、前記多角形に開口されている軸穴の各辺に回転可能な状態で内接する直径の円柱形状を有しており、前記多角形に開口されている軸穴を有している薄板材側にある前記軸の頭部は、前記軸穴及び前記軸棒の間にできる隙間と当該頭部の外側とを連通する開口部を有している、ことを特徴とする。
【０００８】
前記２枚の薄板材の内、１枚の薄板材の軸穴が多角形に開口されており、他方の薄板材の軸穴は円形に開口されており、前記軸棒は、リベットの円柱状の軸棒で構成され、前記多角形に開口されている軸穴を有する薄板材側にある頭部は、前記リベットのリベットヘッドと、一部分の円弧が切欠かれて前記開口部を形成しているＣ字状のワッシャーとで構成され、他方の頭部は、前記円形に開口されている軸穴を有する薄板材側において、前記２枚の薄板材を軸穴で枢動可能に留めるように前記リベットの軸棒をカシメて形成された頭部で構成されている、ことが好ましい。
【０００９】
（ａ）軸穴から当該軸穴を有している薄板材の縁へ通じるように設けられている溝と、（ｂ）前記開閉状態を刃部の一部又は全部が重なっていない部分ができるようにした場合に、軸穴から前記重なっていない部分へと通じるように設けられている溝、の何れか一方又は両方を備えている、ことが好ましい。
【００１０】
前記多角形に開口されている軸穴は、正方形に開口されている、ことが好ましい。
【００１１】
前記溝は軸穴から放射状に伸びている、ことが好ましい。
【００１２】
前記軸棒（２１ｂ）は、リベット（２１）の円柱状の軸棒で構成され、一方の頭部（２３）は、前記リベットのリベットヘッドと、一部分の円弧が切欠かれて前記開口部を形成しているＣ字状のワッシャー（２２）とで構成され、他方の頭部（２１ｃ）は、前記２つの薄板材を軸穴で枢動可能に留めるように前記リベットの軸棒をカシメて形成された頭部で構成されている、ことが好ましい。
【発明の効果】
【００１３】
本発明によれば、溝と、多角形の軸穴及び円柱状の軸棒の間に形成される空間と、開口部とで形成される通路を用いて、軸穴に溜まった樹脂ヤニ、異物、粘度の高い油脂、粘着物等を、洗浄液又はエアーで洗い流し可能にし、軸部分を取り外さずに、即ち、無用の使用感、操作感の変更を伴わずに、容易・確実な掃除を実施可能にする。同時に、円柱状の軸棒を多角形の軸穴の各辺に回転可能に内接させる構成を採用したことによって、円柱状の軸穴の場合に比べて軸穴と軸棒が面接触する部分を無くし、軽い操作感を実現し、さらに、軸棒が軸穴に片当たりすることが無くブレの無い操作感を実現する。
【図面の簡単な説明】
【００１４】
【図１】（ａ）は本発明の一実施の形態に係るはさみの正面図、（ｂ）は平面図。
【図２】（ａ）は同はさみの上刃を構成する薄板材の正面図、（ｂ）は平面図、（ｃ）は底面図（ｄ）は背面図、（ｅ）は左側面図、（ｆ）はＡ−Ａ’矢視断面図。
【図３】（ａ）は同はさみの下刃を構成する薄板材の正面図、（ｂ）は平面図、（ｃ）は底面図（ｄ）は背面図、（ｅ）は変形例の正面図。
【図４】同はさみの軸部周りを拡大して示す斜視図。
【図５】同はさみをの軸穴に軸棒として挿入するリベットと、Ｃ字状ワッシャーとを示す斜視図。
【図６】同はさみの内部に形成される掃除用の洗浄液又はエアーの通路を矢印で示す斜視図。
【図７】（ａ）は同はさみの軸穴と軸棒との間にできる面積を示し、（ｂ）は比較例の図。
【図８】（ａ）は同はさみの軸穴内で生じ得る軸棒の偏り量を示し、（ｃ）は比較例の図。
【図９】（ａ）は同はさみの軸穴内で生じ得る軸棒のブレ量を示し、（ｃ）は比較例の図。
【図１０】（ａ）ははさみを構成する薄板材に設ける溝の変形例を示し、（ｂ）はＢ−Ｂ’矢視断面図。
【図１１】上刃及び下刃の軸穴が正方形で、軸の両頭部にＣ字状ワッシャーによる開口が設けられている変形例に係るはさみの側面図。
【発明を実施するための形態】
【００１５】
本発明に係るはさみは、刃部及び当該刃部の基端側に軸穴をそれぞれ有する２枚の薄板材を、前記軸穴を通る軸で枢支して構成されている。この２枚の薄板材の一方又は両方には、軸穴から当該軸穴を有している薄板材の外へと通じる溝が設けられている。前記２枚の薄板材の一方又は両方の軸穴は、多角形、例えば正方形に形成されており、更には、軸穴に挿入される軸棒は断面が円形で、前記多角形に開口されている軸穴を有している薄板材側にある前記軸の頭部は、前記軸穴及び前記軸棒の間にできる隙間と当該頭部の外側とを連通する開口部を有していることを特徴とする。
溝と、多角形の軸穴及び円柱状の軸棒の間に形成される空間と、開口部とで形成される通路を用いて、軸穴に溜まった樹脂ヤニ、異物、粘度の高い油脂、粘着物等を、洗浄液又はエアーで洗い流し可能にし、軸部分を取り外さずに、即ち、無用の使用感、操作感の変更を伴わずに、容易・確実な掃除を実施可能にする。同時に、円柱状の軸棒を多角形の軸穴の各辺に回転可能に内接させる構成を採用したことによって、円柱状の軸穴の場合に比べて軸穴と軸棒が広く面接触する部分を無くし、軽い操作感を実現し、さらに、軸棒が軸穴に片当たりすることが無くブレの無い操作感を実現できる。なお、本発明のはさみは、軸穴の掃除を行う際に、軸を取り外す必要を無くし、軸を再び取り付ける際にはさみの使用感、操作感が変わってしまう事態を減少させるが、例えば薄板材の刃部の保守又は取替のために取り外し可能な軸の使用を禁止するものでは無い。
【００１６】
本発明の一実施の形態に係るはさみ１について、添付の図面を参照しつつ説明する。図１（ａ）は、はさみ１の正面図、（ｂ）は底面図を示す。はさみ１は、手で持つためのハンドル２が取り付けられ、図中下側に位置し、下刃を構成する刃部３及び刃部３の基端に軸穴４を有する薄板材５と、ハンドル６が取り付けられ、図中上側に位置し、上刃を構成する刃部７及び刃部７の基端に軸穴８を有する薄板材９とを、軸穴４、８を通る円柱状の軸２０で枢動可能に留めた構成を有している。
【００１７】
薄板材９は、軸２０の軸棒と略同じ長さの辺を持つ正方形の軸穴８と、刃部７を予め定めた開閉状態にした場合に、軸穴８から当該軸穴８を有している薄板材９の外へと通じる溝１０とを有している。詳しくは、溝１０として、正方形の軸穴８を囲む溝及び放射状に伸びる溝が設けられている。薄板材５は、軸２０の軸棒と略同径の円形の軸穴４を有している。好ましくは、薄板材５は、溝１０と同じ構造の溝を有する。
【００１８】
軸２０は、軸棒と、当該軸棒の両端に設けられている頭部とで構成されている。はさみ１において、軸２０は、円柱状の軸を持つリベット２１と一部分の円弧が切欠かれて開口部を形成しているＣ字状のワッシャー２２とで構成されている。リベット２１は、リベットヘッド２１ａと、円柱状の軸棒２１ｂと、軸棒２１ｂの先端をカシメることによって形成される頭部２１ｃとで構成されている。軸２０の軸棒は、リベット２１の軸棒２１ｂがこれに相当する。軸２０の一方の頭部は、リベットヘッド２１ａ及びＣ字状のワッシャー２２とがこれに相当し、以下、まとめて頭部２３と表す。なお、頭部２３は、リベットヘッド２１ａ及びワッシャー２２を一体形成したものであっても良い。軸２０の他方の頭部は、２つの薄板材５、９を軸穴４、８で枢動可能に留めるようにリベット２１の軸棒をカシメて形成された頭部２１ｃがこれに相当する。リベット２１をカシメると、軸穴４近傍の軸棒２１ｂの直径が太くなり、円形の軸穴４にきっちりと嵌り、軸２０の軸棒２１ｂが薄板材５に固定される。
【００１９】
図２は、上刃を構成する薄板材９の６面図を示す。図２（ａ）は正面図、（ｂ）は平面図、（ｃ）は底面図、（ｄ）は背面図、（ｅ）は左側面図、（ｆ）は（ｄ）に示すＡ−Ａ’矢視断面図を示す。薄板材９の軸穴８は、軸２０の軸棒２１ｂ（図示せず）が回転可能な状態で各辺に略接する寸法の三角形、四角形、五角形、六角形等の多角形を採用する。当該構成を採用することによって、軸穴と軸棒との間に掃除用の通路を形成するだけでなく、円柱状の軸穴の場合に比べて軸穴と軸棒が面接触する部分を無くし、結果、樹脂ヤニ、異物、粘度の高い油脂、粘着物等が溜まった場合でも軸穴８の内側に軸棒２１ｂ（図示せず）が貼り付くことを無くし、比較的長い間、軽い開閉動作を可能にする。
【００２０】
図２（ｄ）の背面図に示す好ましい実施例では、軸穴８は正方形の形状を有している。図２（ｂ）（ｃ）に示すように、軸穴８から放射状に伸びている溝１０は、薄板材９の刃部７の縁のところまで貫通するように設けられている。
【００２１】
図３は、下刃を構成する薄板材５の構成を示す。図３（ａ）は図１（ａ）に示した薄板材５の正面図、（ｂ）は平面図、（ｃ）は底面図、（ｄ）は背面図を示す。図３（ａ）、（ｄ）に明らかなように、はさみ１の軸穴４は、円形で、薄板材９に向かい合う内側面には溝は無い。変形例として、図３（ｅ）に示すように、薄板材９に向かい合う内側面に溝１１を設けても良い。詳しくは、溝１１として、円形の軸穴４を囲む溝及び放射状に伸びる溝を設ける。
【００２２】
図４は、図１（ｂ）に点線で囲んで示す薄板材９の領域３０の部分の斜視図を示す。薄板材５の部分の描写は省略してある。軸２０の頭部２３は、前述の通り２つの部品、即ち、リベットヘッド（上方部材）２１ａと、リベットヘッド２１ａ及び薄板材９の間に設けられ、一部分の円弧が切欠かれている（以下、この切欠き部分を開口部２２ａという）Ｃ字状のワッシャー２２とで構成されている。ワッシャー２２を使用することによって、円柱状の軸を持つ汎用リベットを使用できる。即ち、はさみ１は、リベットの軸棒２１ｂに特別な加工が不要で、軸穴８は例えば打ち抜き加工により形成すれば良いので、材料の準備を含め、少ない工程で極めて簡単に製造できる。
【００２３】
また、軸２０の変形例として、リベット２１の代わりに、ボルトとナットを用いることもできる。この場合、ボルトのヘッド又はナットと、ワッシャー２２とで頭部２３が構成され、ナット又はボルトのヘッドで頭部２１ｃが構成される。この場合、軸２０と薄板材５との結合は、軸穴４にボルト用のねじ溝を切り、ねじ留めすることによって行う。
【００２４】
図５は、軸２０の頭部２３を構成するリベットヘッド２１ａと、Ｃ字状ワッシャー２２と、正方形の軸穴８を示す斜視図である。軸２０の軸棒２１ｂは、軸穴８の各辺に回転可能な状態で内接する直径の円柱形状を有している。詳しくは、軸棒２１ｂの直径は、正方形の軸穴８の一辺の長さと略同じだが、軸２０が回転可能となるように、僅かに小さな値、例えば軸穴８の一片の長さよりも１％〜数％程度小さな値に設定する。Ｃ字状ワッシャー２２は、ステンレス製で、内径はリベットの軸棒２１ｂに嵌合又は僅かに緩く嵌る値に設定されている。開口部２２ａの間隔、即ち、両矢印で示す部分の長さは、大きな方が掃除し易いが、ワッシャー２２が軸棒２１ｂから抜けたりしない大きさ、例えば、ワッシャー２２の外周長さの１／１５〜１／３の範囲に設定する。はさみ１において、開口部２２ａの間隔は、ワッシャー２２の外周長さの約１／１３の大きさに設けられている。
【００２５】
図６は、はさみ１の軸穴８に形成される掃除用の洗浄液又はエアーの通路の一部を可視化して矢印で示す。例えば、軸穴８から放射状に設けられている溝１０は、説明に用いる部分のみを描いてある。通路は、Ｃ字状のワッシャー２２の切り欠き部分（開口部）２２ａと、正方形の軸穴８及び軸棒２１ｂとの間に形成されている空間と、薄板材９の内面側に形成されている溝１０と、で構成されている。通路が構成されることによって、軸穴８に溜まった樹脂ヤニ、異物、粘度のある油脂、粘着物等を、Ｃ字状のワッシャ―２２の開口部２２ａから掃除用の洗浄液又はエアーを通すことで掃除することができる。通路が形成されておらず、例えばＣ字状のワッシャー２２を備えておらず、穴状になっている軸穴８を掃除する場合に比べて、極めて効率よく掃除することができる。
【００２６】
図７（ａ）は正方形の軸穴８に軸２０の軸棒２１ｂを挿入した状態を上から見た図である。説明の便宜上軸２０の頭部２３は省略してある。実施例として、軸棒２１ｂの直径をΦ３．５２ｍｍ、軸穴８の正方形の一辺の長さを□３．７５ｍｍとする場合について考察する。製造時に使用する打ち抜きパンチの加工精度の問題で、軸穴８の四隅は半径０．５ｍｍだけＲ面取り処理された形状となっている。Ｒ面取り処理される半径は小さい方が好ましい。この状態において、軸棒２１ｂの面積Ｓ１は９．７３１４ｍｍ２で、軸穴８と軸棒２１ｂとの隙間面積Ｓ２は４．１１６５ｍｍ２であった。
【００２７】
軸穴８を多角形でなく、円形とする場合、掃除用の洗浄液又はエアーの通路を確保するには、軸棒に軸に沿う平らな面を形成することが考えられる。比較のため、図７（ｂ）に示すように、正方形の代わりに、直径Φ３．７５ｍｍ（前記正方形の軸穴８の一辺の長さと同じ値）の円柱状の軸穴を使用し、通路を設けるため、直径Φ３．５２ｍｍ（軸棒２１ｂの直径と同じ値）の軸棒の両側を軸に沿って幅Ｗ＝３ｍｍとなるまで平らに削った場合（以下、比較例という）について検討した。この場合、軸棒の面積Ｓ３は９．０８３０ｍｍ２で、軸穴と軸棒との隙間面積Ｓ４は１．９６１７ｍｍ２であり、本実施例の方が２倍以上通路の面積が広くとれることが分かった。さらには、図７（ａ）に示す実施例の場合、円柱状の軸棒２１ｂを正方形の軸穴８の各辺に回転可能に内接させる構成を採用したことによって、軸穴の形状を円柱状にする場合に比べ、軸穴と軸棒が面接触する部分を少なくでき、結果、軽い操作感が実現される。
【００２８】
図８（ａ）は、図７（ａ）に示す実施例の場合において、軸棒２１ｂが軸穴８内で動き得る最大ブレ量を示す。本実施例の場合、Ｍ１＝０．２３ｍｍの最大ブレ量が求められた。図８（ｂ）は、図７（ｂ）に示す比較例の場合において、軸棒が軸以内で動き得る最大ブレ量を示す。比較例の場合、Ｍ２＝０．２６７ｍｍのブレ量が求められ、実施例の方が比較例よりも１４％ブレ量が少なくでき、製造時、刃先の位置合わせが容易になるという、製品の品質向上に極めて重要な効果が得られることが分った。
【００２９】
図９（ａ）（ｂ）は、薄板材５、９の厚みｔを２．３ｍｍとする場合に、軸穴８内で軸棒２１ｂが傾き得る最大値を示す。本例の場合、軸は最大Δθ１＝５．３３３度傾き、この場合にＭ１＝０．２１５ｍｍのブレが生じる。図９（ｃ）（ｄ）は、薄板材５、９の厚みｔを２．３ｍｍとする場合に、軸穴内で軸棒が傾き得る最大値を示す。比較例の場合、軸は最大でΔθ２＝６．１８５度傾き、この場合にＭ２＝０．２４９ｍｍのブレが生じることが分った。
【００３０】
軸棒２１ｂのブレは、はさみ１の刃部３、７の先端部分で増幅され、刃先が揃わない等ではさみ１を使用する作業に支障が出る。図７乃至図９の比較から分るように、本実施例の場合、通路を確保するだけでなく、軸棒２１ｂの向きに依らず、常にブレを少なく抑えることができる。
【００３１】
図１０は、薄板材９に設ける溝１０の変形例を示す。図１０（ａ）は、薄板材９に設けた溝１０が見える内側面を示し、（ｂ）は（ａ）に示すＢ−Ｂ’線断面を拡大して示す。本例では、図２（ｄ）に示した溝に加えて、刃部７の一部又は全部が重なっていない予め定めた状態にした場合に、軸穴８から刃部の重なっていない部分へと通じるように、内側面に溝１２を設ける。「刃部７の一部又は全部が重なっていない予め定めた状態にした場合」とは、はさみ１を予め定めた状態、例えば半分程度開いた状態（刃部７の一部が重なっていない状態）、又は全開にした状態（刃部７が完全に重なっていない状態）をいう。なお、薄板材９の内面側には、溝１０と溝１２の両方を設けても良いし、何れか一方のみを設けても良い。さらに、溝１０と溝１２は、薄板材９だけでなく薄板材５の内面側に設けても良い。
【００３２】
以上に説明したように、はさみ１は、溝１０、１２と、軸穴４、８及び軸棒２１ｂの間にできる隙間と、Ｃ字状のワッシャー２２の切り欠き部分（開口部）２２ａとによって、軸穴４、８を掃除する洗浄液又はエアーの通路を確保できるだけでなく、軸棒２１ｂが軸穴４、８に面接触する部分を無くし、かつ、軸棒のずれを略無くし、軽くブレの無い開閉動作を可能にする。
【００３３】
なお、本発明は、上記実施形態及び実施例に限定されず、発明の作用効果を奏し得るという条件を満たす限りにおいて、種々の変形例を採用することができる。例えば、Ｃ字状のワッシャー２２の代わりに、中心部分から放射状に多数の溝（当該溝が開口部）が設けられているリブワッシャーを用いても良いし、ステンレス製のワッシャー２２の代わりに、多数の小さな孔が開けられ油浸けにされている銅又は真鍮製のＣ字状の無給油ブッシュ（Ｃ字状部分が開口部）、等を使用しても良い。
【００３４】
また、軸２０にボルト及びナットを用いる場合、図１１に示すはさみ５０のように、薄板材５の代わりに、薄板材９を２枚使用し、上刃及び下刃の軸穴を正方形にしても良い。この場合、軸２０として、ボルト４０及びナット４１と、２つのＣ字状ワッシャー２２とを使用する。ボルト４０のヘッド４０ａ及び図中上に位置するワッシャー２２が一方の頭部に相当し、ボルト４０のねじ部分４０ｂが軸棒に相当し、図中下に位置するワッシャー２２及びナット４１が他方の頭部に相当する。当該構成を採用すれば、ボルト４０及びナット４１を緩めることなく、上述した操作性の良さと掃除し易さといった発明の効果を得ることができる。はさみ５０では、上刃を構成する薄板材と下刃を構成する薄板材とを同一構造とすることで、部品数を半分にでき、量産性が向上し、結果としてコスト低減を図ることができる。
【産業上の利用可能性】
【００３５】
本発明のはさみは、手動で開閉されるはさみだけでなく、電動等自動で開閉されるはさみの刃部を含む。また、本技術は、園芸用だけでなく、一般家庭用、工場用等、軸の部分に刃部の開閉の妨げとなる汚れ、ゴミ等が溜まり得る環境で使用されるはさみ全般に使用できる。
【符号の説明】
【００３６】
１、５０    はさみ
２、６      ハンドル
３、７      刃部
４、８      軸穴
５、９      薄板材
１０、１１、１２  溝
２０        軸
２１        リベット
２１ａ      リベットヘッド（上方部材）
２３、２１ｃ  頭部
２１ｂ      軸棒
２２        Ｃ字状のワッシャー
２２ａ      Ｃ字状のワッシャーの切り欠き部分（開口部）
【図１】
2020028465.tif 000003
【図２】
2020028465.tif 000004
【図３】
2020028465.tif 000005
【図４】
2020028465.tif 000006
【図５】
2020028465.tif 000007
【図６】
2020028465.tif 000008
【図７】
2020028465.tif 000009
【図８】
2020028465.tif 000010
【図９】
2020028465.tif 000011
【図１０】
2020028465.tif 000012
【図１１】
2020028465.tif 000013
【手続補正書】
【提出日】平成30年9月25日(2018.9.25)
【手続補正１】
【補正対象書類名】特許請求の範囲
【補正対象項目名】請求項１
【補正方法】変更
【補正の内容】
【請求項１】
刃部（３、７）及び当該刃部の基端側に軸穴（４、８）をそれぞれ有する２枚の薄板材（５、９）を、前記軸穴を通る軸（２０）で枢支して構成されたはさみ（１）において、
前記２枚の薄板材の向かい合う内側面の一方又は両方には、前記刃部を閉じた状態及び／または、予め定めた開状態にした場合に、前記軸穴から当該軸穴を有している薄板材の外へと通じる溝（１０、１２）が設けられており、
前記２枚の薄板材の内、１枚以上の薄板材の軸穴が多角形に開口されており、
前記軸は、軸棒（２１ｂ）及び前記軸棒の両端に設けられている頭部（２１ｃ、２３）とで構成されており、前記軸棒は、前記多角形に開口されている軸穴の各辺に回転可能な状態で内接する直径の円柱形状を有しており、
前記多角形に開口されている軸穴を有している薄板材側にある前記軸の頭部は、前記軸穴及び前記軸棒の間にできる隙間と当該頭部の外側とを連通する開口部（２２ａ）を有している、ことを特徴とする。
【手続補正２】
【補正対象書類名】明細書
【補正対象項目名】０００７
【補正方法】変更
【補正の内容】
【０００７】
上記目的を達成するために本発明は、刃部（３、７）及び当該刃部の基端側に軸穴（４、８）をそれぞれ有する２枚の薄板材（５、９）を、前記軸穴を通る軸（２０）で枢支して構成されたはさみ（１）において、
前記２枚の薄板材の向かい合う内側面の一方又は両方には、前記刃部を閉じた状態及び／または、予め定めた開状態にした場合に、前記軸穴から当該軸穴を有している薄板材の外へと通じる溝（１０、１２）が設けられており、
前記２枚の薄板材の内、１枚以上の薄板材の軸穴が多角形に開口されており、
前記軸は、軸棒（２１ｂ）及び前記軸棒の両端に設けられている頭部（２１ｃ、２３）とで構成されており、前記軸棒は、前記多角形に開口されている軸穴の各辺に回転可能な状態で内接する直径の円柱形状を有しており、
前記多角形に開口されている軸穴を有している薄板材側にある前記軸の頭部は、前記軸穴及び前記軸棒の間にできる隙間と当該頭部の外側とを連通する開口部（２２ａ）を有している、ことを特徴とする。